(57)【特許請求の範囲】
【請求項１】
液晶分子の長軸が電界が印加されない状態において基板と垂直をなすように配向されている液晶表示装置であって、
下部基板上に形成されている第１ゲート線と、
前記下部基板上に形成されており、維持容量電極を含む第１維持容量配線と、
前記第１ゲート線及び第１維持容量配線と絶縁して交差しているデータ線と、
前記第１維持容量配線と絶縁して交差している画素電極と、
前記画素電極を多数の領域に分割する形に形成されている開口部パターンを有し、上部基板に形成されている共通電極と、
を含み、前記維持容量電極は第１維持容量配線の枝として形成されており、前記開口部パターンに沿って前記開口部パターンと重なるように形成されている液晶表示装置。
【請求項２】
前記画素電極は、角が曲線化した四角形を複数個連結した形に形成されている請求項１に記載の液晶表示装置。
【請求項３】
前記開口部パターンの境界線と前記画素電極の境界線とは、それぞれ鈍角をなし、折れるか曲線である請求項２に記載の液晶表示装置。
【請求項４】
前記開口部パターンによって分割される前記画素電極の各領域の境界線が閉曲線をなす請求項２または３に記載の液晶表示装置。
【請求項５】
角が曲線化した四角形を複数個連結した前記画素電極の形は左右対称をなし、前記共通電極の開口部パターンは前記画素電極を対称的に分割する形に形成されている請求項２に記載の液晶表示装置。
【請求項６】
前記開口部パターンは、その長軸方向と異なる方向に延設され、先端に向かって幅が狭くなり、開口部パターンの長さ方向に沿って等間隔に配置される複数個の十字形状を含む、請求項１に記載の液晶表示装置。
【請求項７】
前記維持容量電極は、その長軸と異なる方向に延設され、その中心が前記開口部パターンの十字形状の中心と一致する突出部をさらに有する請求項６に記載の液晶表示装置。
【請求項８】
前記第１維持容量配線と同一の層に並んで形成されており、前記維持容量電極と短絡して交差している第２維持容量配線をさらに含む請求項１、６及び７のいずれかに記載の液晶表示装置。
【請求項９】
前記隣接した二つのデータ線の間の第１ゲート線上部に形成されているゲート線補助パターンをさらに含む請求項１〜８のいずれかに記載の液晶表示装置。
【請求項１０】
前記ゲート線補助パターンは、前記データ線と同一の層に前記データ線と同一の物質で形成されている請求項９に記載の液晶表示装置。
【請求項１１】
前記ゲート線補助パターンは、前記画素電極と同一の層に前記画素電極と同一の物質で形成されている請求項９に記載の液晶表示装置。
【請求項１２】
前記ゲート線補助パターンの両側の端部が第１ゲート線と接触口とを通じて短絡している請求項９に記載の液晶表示装置。
【請求項１３】
前記画素電極とデータ線との間に形成されており、前記第１維持容量配線の枝として形成されている第１及び第２遮断パターンをさらに含む請求項１、２、３、５、６及び７のいずれかに記載の液晶表示装置。
【請求項１４】
前記第１及び第２遮断パターンは、前記画素電極と重ならないように形成されている請求項１３に記載の液晶表示装置。
【請求項１５】
前記第１及び第２遮断パターンは、前記データ線と重ならないように形成されている請求項１３に記載の液晶表示装置。
【請求項１６】
前記第１及び第２遮断パターンは、前記画素電極の屈曲に沿って凸凹をなしているので、前記画素電極との間隔が一定しないように形成されている請求項１３に記載の液晶表示装置。
【請求項１７】
前記隣接した二つのデータ線の間の第１ゲート線上部に形成されているゲート線補助パターンをさらに含む請求項１３に記載の液晶表示装置。
【請求項１８】
前記第１ゲート線と並んで形成されており、前記画素電極と一部が重なっている第２ゲート線と、前記第１ゲート線と第２ゲート線とを連結する連結線とをさらに含む請求項１に記載の液晶表示装置。
【請求項１９】
前記画素電極はＩＴＯからなる請求項１〜８のいずれかに記載の液晶表示装置。
【請求項２０】
前記第１及び第２維持容量配線には、前記共通電極と同一の電圧が印加される請求項１〜１９のいずれかに記載の液晶表示装置。
【請求項２１】
液晶分子の長軸が電界が印加されない状態において基板と垂直をなすように配向されている液晶表示装置であって、
下部基板に形成されているゲート線と、
前記下部基板上に形成されており、維持容量電極を含む第１維持容量配線と、
前記ゲート線及び第１維持容量配線と絶縁して交差しているデータ線と、
前記第１維持容量配線と絶縁して交差しており、第１開口部パターンを有する画素電極と、
前記下部基板と対向している上部基板に形成されている共通電極と、
を含み、前記維持容量電極は前記第１維持容量配線の枝として形成されており、前記第１開口部パターンに沿って前記第１開口部パターンと重なるように形成されている維持容量電極をさらに含む液晶表示装置。
【請求項２２】
前記共通電極には第２開口部パターンが形成されており、
前記第１開口部パターンと前記第２開口部パターンとは交互に配列されており、前記第１開口部パターンの端部と前記第２開口部パターンの端部とが隣接している請求項２１に記載の液晶表示装置。
【請求項２３】
前記第２開口部パターンは方形の環状に形成されており、
前記第１開口部パターンは前記方形環状の互いに対向する二つの辺の間に対応する領域に、中心から遠くなるほど幅が狭くなる複数個の十字形状が一列に配置されている請求項２２に記載の液晶表示装置。
【請求項２４】
前記維持容量電極は、前記第１開口部パターンの十字形状の中心に一致する中心を有する菱形の突出部をさらに備える請求項２１に記載の液晶表示装置。
【請求項２５】
前記第１維持容量配線と同一の層に並んで形成されており、前記維持容量電極と短絡して交差している第２維持容量配線をさらに含む請求項２１、２２及び２３のいずれかに記載の液晶表示装置。
【請求項２６】
前記隣接した二つのデータ線の間の第１ゲート線上部に形成されているゲート線補助パターンをさらに含む請求項２１、２２及び２３のいずれかに記載の液晶表示装置。
【請求項２７】
前記第１維持容量配線は、前記第２開口部パターンと一部が重なるように形成されている請求項２１、２２及び２３のいずれかに記載の液晶表示装置。
【請求項２８】
前記第１開口部パターンは、前記画素電極の第１辺から第２辺に向かって斜線方向に伸びていて互いに上下対称をなす第１及び第２下板開口部と、前記第２辺から前記第１辺に向かって水平方向に伸びている第３下板開口部とを含み、前記共通電極には斜線方向に伸びていて互いに上下対称をなす第１及び第２上板開口部と、中間が折れていて前記第１及び第２上板開口部と等距離で対向している第３上板開口部とを含む第２開口部パターンが形成されており、前記第１開口部パターンと前記第２開口部パターンとは交互に配列されており、前記第１維持容量配線は前記第２開口部パターンと一部が重畳していることを特徴とする請求項２１に記載の液晶表示装置。
【請求項２９】
前記維持容量電極は第２開口部パターンと重畳していることを特徴とする請求項２８に記載の液晶表示装置。
【請求項３０】
前記第２開口部パターンは前記画素電極の辺と重畳している枝開口部を含むことを特徴とする請求項２８に記載の液晶表示装置。
【発明の詳細な説明】
【０００１】
【発明の属する技術分野】
本発明は広い視野角を有する液晶表示装置に関し、特に共通電極と画素電極とに一定のパターンを形成し、視野角を広げる方式の液晶表示装置に関する。
【０００２】
【従来の技術】
一般に、液晶表示装置は二枚の基板の間に液晶を注入し、ここに加える電場の強さを調節し、光透過量を調節する構造となっている。
【０００３】
二重、垂直配向（vertically aligned；ＶＡ）方式の液晶表示装置は、電界が印加されない状態において液晶分子が基板に対し垂直に配向されているので、直交する偏光板を用いる場合、電界が印加されない状態で完全に光を遮断することができる。即ち、ノーマリブラックモード（normally black mode）でオフ状態の輝度が非常に低いので、従来の捩れたネマチック液晶表示装置に比べて高いコントラスト比を得ることができる。
【０００４】
【発明が解決しようとする課題】
しかし、電界が印加された状態において、液晶分子が傾く方向が不規則であるので、上部または下部の偏光板の偏光方向と液晶分子の長軸方向とが一致する部分が存在し、この部分においては液晶分子が光の偏光方向を回転する機能を発揮することができず、光が偏光板によって全て遮断される。このような部分は画面上、黒く現れて画質が悪くなる。
【０００５】
かかる問題を解決するために、電極をパターニングする方法が多様に提示された。米国特許第５、１３６、４０７号でＣｌｅｒｅは一側基板の電極に鎖状の開口部を形成する方法を提示し、米国特許第５、３０９、２６４においてＬｉｅｎは一側基板の透明電極にＸ字型の開口部を形成する方法を提示した。
【０００６】
しかし、画素の維持容量を形成するために、独立配線を用いるかゲート線を用いることもあるが、ゲート線を用いる場合にはゲート線には一定の電圧が印加されるので、ゲート線上部の画素電極に開口部を形成する場合、ゲート線と共通電極との間に形成される電界が液晶物質に影響を与え、光が漏れるという問題が発生する。
【０００７】
したがって、電極パターンの設計が自由ではない。このことは、電極パターンの形によって整列誤差限度（align margin）が大きく変化する点に鑑みて整列誤差の限度を大きくしようとする電極パターンの設計を妨害する。また、リングゲート構造においては画素電極がデータ線やゲート線と短絡し、画素が常に明の状態にある明画素不良（high pixel defect）がよく発生し、修理するのにも難しい。また、ゲート線が形成されている部分には光が透過することができないので、開口率も低い。
【０００８】
【課題を解決するための手段】
本発明の技術的課題は、電極パターン形成の自由度を増加させ、整列誤差の限度が大きい電極パターンを形成することができ、明画素不良を修理することができる方法を提供することにある。
【０００９】
また、本発明の他の課題は、開口率を向上することにある。
【００１０】
かかる課題を解決するために本発明においては、ゲート線とは独立した配線を形成して維持容量を確保し、独立配線には共通電極電位を印加することができるようにする。
【００１１】
具体的には、第１ゲート線を下部基板上に形成し、第１独立配線を下部基板上に形成し、データ線を第１ゲート線及び第１独立配線と絶縁して交差するように形成し、画素電極は第１独立配線と絶縁して交差するように形成し、上部基板に形成されている共通電極には画素電極を分割する形で開口部パターンを形成する。
【００１２】
ここで、画素電極は端部が凹んだ形に形成することができ、開口部パターンの境界線と画素電極の境界線とはそれぞれ鈍角をなし、折れるか曲線になるように形成するのが好ましく、開口部パターンによって分割される画素電極の各領域の境界線が閉曲線をなすようにするのが良い。
【００１３】
また、画素電極の凹んだ形は左右対称をなし、共通電極の開口部パターンは画素電極を対称的に分割する形に形成することができ、開口部パターンと重なるように第１独立配線から伸びていった維持容量電極をさらに形成することができ、開口部パターンは中心から遠くなるほど幅が狭くなる形の複数の十字形状が一列に配列されている形態に形成することができ、維持容量電極には十字形状の開口部パターンの中心と一致する中心を有する菱形の突出部をさらに形成することができ、隣接した二つのデータ線の間の第１ゲート線上部にゲート線補助パターンをさらに形成することができる。この時、ゲート線補助パターンはデータ線と共にまたは画素電極と共に形成することができ、接触口を通じて第１ゲート線と短絡することもできる。
【００１４】
また、画素電極とデータ線との間に第１独立配線の枝として第１及び第２遮断パターンをさらに形成することができるが、この遮断パターンは画素電極やデータ線とは重ならないようにすることができ、画素電極の屈曲に沿って凸凹をなすようにし、画素電極との間隔が一定になるように形成することができ、維持容量電極は形成せず遮断パターンだけを形成することもできる。
【００１５】
また、第１独立配線と並んで第２独立配線をさらに形成することができ、第１ゲート線と並んで電気的に連結されている第２ゲート線とを形成し、維持容量電極や遮断パターンは形成しないこともある。
【００１６】
ここで、画素電極はＩＴＯで形成することができ、独立配線には共通電極電圧を印加することができる。第１及び第２独立配線は開口部パターンまたは画素電極の凹んだ部分と重なるように形成することが良く、さらに維持容量電極も開口部パターンや画素電極の凹んだ部分と重なるようにするのが良い。
【００１７】
また、ゲート線と第１独立配線とを下部基板に形成し、データ線をゲート線及び第１独立配線と絶縁して交差するように形成し、第１開口部パターンを有する画素電極を第１独立配線と絶縁して交差するように形成し、下部基板と対抗している上部基板に共通電極を形成する。
【００１８】
ここで、共通電極に第１開口部パターンと交互に配列され、第１開口部パターンの端部と端部が隣接するように形成される第２開口部パターンとをさらに形成することができる。また、第２開口部パターンは方形環状に形成し、第１開口部パターンは第２開口部パターンと互いに対向する二つの辺の間に対応する領域に中心から遠くなるほど幅が狭くなる十字型数個が一列に配置されている形態に形成することができる。
【００１９】
ここに、第１独立配線の枝として開口部パターンと重なるように維持容量電極をさらに形成することができ、維持容量電極には第１開口部パターンの十字形状の中心と一致する中心を有する菱形の突出部をさらに形成することができる。また、第１独立配線と同一の層に並んで形成されており、維持容量電極と短絡して交差する第２独立配線をさらに形成することができ、隣接した二つのデータ線の間の第１ゲート線上部にゲート線補助パターンをさらに形成することもできる。この時、第１及び第２独立配線は第１または第２開口部パターンと重なるようにするのが良く、さらに維持容量電極も第１または第２開口部パターンと重なるようにするのが良い。
【００２０】
【発明の実施の形態】
では、添付した図面を参考にして本発明の実施例を詳細に説明する。
【００２１】
図１は本発明の第１実施例による液晶表示装置の下部基板の配置図であり、図２は本発明の第１実施例による液晶表示装置の上部基板の共通電極に形成されている開口部パターンの配置図であり、図３は本発明の第１実施例による液晶表示装置の上下部基板を整列した状態の配置図である。
【００２２】
図１を見ると、下部基板には横方向にゲート線１１が伸びており、ゲート線１１と並んで独立配線１２が伸びている。また、独立配線１２の枝として維持容量電極１２１が縦方向に形成されている。ここで、維持容量電極１２１は一定の間隔毎に形成されている菱形の突出部１２４を備える構成とすることができる。独立配線１２は上部基板の共通電極と等電位となるのが普通であるが、独自の電位を有することもある。独立配線１２だけでも十分な維持容量を確保することができる場合には維持容量電極１２１を形成しないこともある。ゲート線１１、独立配線１２及び維持容量電極１２１は下部基板上に一回の写真エッチング工程を通じて同時に形成するのが好ましい。
【００２３】
データ線１３はゲート線１１及び独立配線１２とは絶縁されて縦方向に伸びている。隣接した二本のゲート線１１とデータ線１３とによって定義される画素領域には、維持容量電極１２１と絶縁されて維持容量電極１２１を中心にして殆ど対象となるように、角部を曲線化された方形数個が連結された形態の画素電極１４が配置されている。この時、維持容量電極１２１の菱形突出部１２４は、画素電極１４を形成する数個の方形それぞれの中心に位置するように配置される。画素電極１４は透過形液晶表示装置ではＩＴＯ（indium tin oxide）で形成することができ、反射形液晶表示装置ではアルミニウムなどの金属で形成することができる。
【００２４】
データ線１３の間のゲート線１１上部にはゲート線１１と絶縁しているゲート線補助パターン１８が形成されているので、ゲート線１１が断線するとレーザー（laser）を走査してゲート線１１が断線された部分の両側をゲート線補助パターン１８と短絡することによって修理することができる。最初から接触口を通じてゲート線補助パターン１８の両端をゲート線１１に連結しておくこともできる。ゲート線補助パターン１８はデータ線１３と同一の層にデータ線１３金属で形成することもでき、画素電極１４と同一の層にＩＴＯなどの画素電極１４物質で形成することもできる。
【００２５】
図２には上部基板の共通電極に形成される開口部パターン１５が示されている。開口部パターン１５は中心から遠くなるほど幅が狭くなる形の十字型（＋）数個が一列に配列されている形に形成されている。このような形で開口部パターン１５を形成するのは開口部パターン１５の境界線が曲がるか折れる程度を円滑にすることであって、これは開口部パターン１５の境界線が曲がったり折れたりする程度が円滑であるほど、液晶分子の配列が均一になって応答速度が速いためである。
【００２６】
前記において、角部が曲線化された方形数個を連結した形態に画素電極１４を形成したのも同一の理由のためである。したがって、開口部パターン１５や画素電極１４を他の形に形成しても開口部パターン１５の境界線は、直線であるか、または鈍角で折れるか曲がる線となるようにするのが好ましい。
【００２７】
図３には上下部基板を整列した際、上部基板の開口部パターン１５が下部基板のパターンと重なる形態が示されている。独立配線１２は開口部パターン１５の水平枝一つと重なっている。開口部パターン１５を構成する十字型それぞれの中心は維持容量電極１２１の突出部１２４の中心と一致するように配置され、画素電極１４をなす方形それぞれを四分割している。この時、画素電極１４の境界及び開口部パターン１５によって分割される画素電極１４の各領域の境界線が実質的に閉曲線をなすようにするのが良い。また、開口部パターン１５が画素電極１４をなす方形それぞれを四分割することによって四分割された各領域での液晶分子の平均長軸方向が互いに９０°をなす。
【００２８】
画素電極１４をなす方形を正方形に形成すると、直交偏光板を用いる場合各分割領域での液晶分子の平均長軸方向が基板上から見る時、偏光板の方向と４５°をなすようにすることができるので広い視野角を確保するのに好適である。
【００２９】
前記のように、独立配線１２と連結されている維持容量電極１２１を用いて維持容量を形成すると、維持容量電極１２１に共通電極電位を印加することができ、このようにすると、維持容量電極１２１と共通電極との間には電界が生じないので、維持容量電極１２１の上部に開口部を形成しても光漏れは発生しない。
【００３０】
また、ゲートリングがないので、パターン形成上の制約が大きく減少する。したがって、十字型の開口部パターン１５を上部基板の共通電極に形成し、画素電極１４は実施例のように角部を曲線化した方形数個が連結されている形態に形成することができるので、開口部パターン１５の形成のためのエッチング工程上の誤差の限度を大きくすることができ、開口部パターン１５によって分割される画素電極１４の各領域の境界線が平曲線をなすようにすることができるが、このようにすると分割された領域において液晶分子の配列方向が不規則となる組織（t‐exture）が発生するのを防止することができる。
【００３１】
また、開口部パターン１５の枝が画素電極１４を完全に分割し、一定の大きさだけ残るように十分に大きく形成することができるので、上下基板の間の少しの整列誤差が生じても画素電極１４の各分割領域の境界線は依然として閉曲線をなすので、整列誤差の限界が拡大する。
【００３２】
また、電界が弱く形成され、本来暗く現れる部分である開口部パターン１５に沿って維持容量電極１２１を形成することによって、維持容量を確保するために開口率が減少するのを最少化することができる。
【００３３】
また、明画素不良が発生した場合にはレーザーを用いて不良な画素電極１４を独立配線１２と短絡し、ゲート線１１やデータ線１３と短絡した部分を切断することによって明画素不良に比べて悪影響の少ない暗画素不良（off pixel defect）に転換することができる。
【００３４】
図４は本発明の第２実施例による液晶表示装置の上下部基板を整列した状態の配置図である。
【００３５】
第２実施例は第１実施例におけるデータ線１３と画素電極１４との間に独立配線１２と連結されている第１及び第２遮断パターン１２２、１２３をさらに形成した。ここで、第１及び第２遮断パターン１２２、１２３はデータ線１３と一部重なるように形成し、遮断パターン１２２、１２３とデータ線との間に形成される静電容量をできるだけ大きくするのが良い。
【００３６】
遮断パターン１２２、１２３はデータ線１３と共通電極１４との間に形成される電界を減少し、この電界に液晶物質が影響されるのを防止すると同時に、遮光膜としての機能も兼ねるようにし、光の漏れを最少化したのである。また、遮断パターン１２２、１２３は維持容量も増加させる。
【００３７】
図５は本発明の第３実施例による液晶表示装置の上下部基板を整列した状態の配置図である。
【００３８】
第３実施例は、第２実施例における維持容量電極１２１を除去した。
【００３９】
独立配線１２及び遮断パターン１２２、１２３だけで十分な維持容量を確保することができる場合には維持容量電極１２１を形成しないことによって開口率を高めたのである。
【００４０】
図６は本発明の第４実施例による液晶表示装置の上下部基板を整列した状態の配置図である。
【００４１】
第４実施例は第２実施例の遮断パターン１２２、１２３を画素電極と重ならないように形成したのである。
【００４２】
遮断パターン１２２、１２３の形成のためのフォトショット（photo shot）と画素電極１４の形成のためのフォトショットとの間に整列誤差が生じても維持容量が大きい幅に変化しないようにし、スティッチ（stitch）不良が発生するのを防止したのである。
【００４３】
図７は本発明の第５実施例による液晶表示装置の上下部基板を整列した状態の配置図である。
【００４４】
第５実施例は第４実施例の遮断パターン１２２、１２３を画素電極１４の屈曲に沿って凸凹を有するように形成し、遮断パターン１２２、１２３と画素電極１４との間の間隔が一定するようにした。
【００４５】
共通電極電位を有する遮断パターン１２２、１２３と画素電極１４との間に形成される電界を画素電極１４の周辺部に沿ってできるだけ均一に形成されるようにし、この電界が画素電極１４と共通電極との間に形成される段階に与える影響を開口部パターン１５によって分割される全ての領域で対象となるようにしたのである。
【００４６】
図８は本発明の第６実施例による液晶表示装置の上下部基板を整列した状態の配置図である。
【００４７】
第６実施例は第１実施例に第１独立配線１２と同一の層にあり、第1独立配線１２と並んで維持容量電極１２１と短絡して交差している第２独立配線１６を開口部パターン１５に沿ってさらに形成した。独立配線１２、１６の数は必要によっては三つ以上になることもある。
【００４８】
独立配線１２、１６のうちのある一つが断線しても他の一つが良好であれば、液晶表示装置を駆動することができるようにしている。
【００４９】
図９は本発明の第７実施例による液晶表示装置の上下部基板を整列した状態の配置図である。
【００５０】
ゲート線７１、７６が二重に形成されており、これら二つのゲート線７１、７６は連結線７７によって短絡している。この時、第２ゲート線７６は開口率減少を防止するために上部基板の共通電極に形成されている開口部パターン７５と重なるように形成するのが好ましい。独立配線７２はゲート線７１、７６と並んで開口部パターン１５と重なるように形成されている。他の開口部パターン７５、画素電極１４、データ線１３は図３の第１実施例と同一な形態に形成されている。
【００５１】
維持容量は第２ゲート線７６を用いて確保し、独立配線７２は明画素不良の修理用に用いるのである。
【００５２】
図１０は本発明の第８実施例による液晶表示装置の上下部基板を整列した状態の配置図である。
【００５３】
第８実施例においては端部へ行くほど幅が狭くなる形態の十字型数個が一列に配列されている形態の第１開口部パターン８４１が画素電極８４に形成されており、辺の中央が断絶していて辺の中央へ行くほど幅が狭くなる形態の方形環状に形成されている第２開口部パターン８５が共通電極に形成されている。他のゲート線８１、独立配線８２、データ線８３、維持容量電極８２１、第１及び第２遮断パターン８２２、８２３は第４実施例と同一である。
【００５４】
前記のようにすると、第１開口部パターン８４１によって本来黒く現れる部分に維持容量電極１２１を形成して維持容量を形成するので開口率の低下を最少化することができ、遮断パターン１２２、１２３がデータ線１３と共通電極との間に形成される電界を減少し、この電界に液晶物質が影響されるのを防止すると同時に、遮光膜としての機能も兼ねるようにして光が漏れるのを防止することができる。ここに第１独立配線１２と同一の層に、第１独立配線１２と並んで維持容量電極１２１を通じて第１独立配線１２と連結されるように第２独立配線（図示せず）をさらに形成することもできる。また、第１及び第２開口部パターン８４１、８５は他の形にでも形成することができる。
【００５５】
図１１は、本発明の第９実施例による液晶表示装置の上下部基板を整列した状態の配置図である。
【００５６】
先ず、ゲート線１１、データ線１３及びゲート線補助パターン１８は第１実施例と同一の形態に形成されている。しかし、画素電極９４と共通電極とに形成されている開口部パターンの形は全く異なり、このため独立配線の形も異なる。
【００５７】
画素電極９４には画素電極９４の左辺から右辺に向かって斜線方向に凹んだ形態の第１及び第２下板開口部９５１、９５２と、右辺の中央から左辺に向かって水平方向に凹んだ形態の第３下板開口部９６とが形成されている。第１及び第２下板開口部９５１、９５２は左辺から右辺に行くほど互いに遠くなる形に形成されている。独立配線９２はゲート線１１と同一の層に形成されて画素電極９４と重なるように形成されている。この時、独立配線９２は直線ではなく一定の湾曲した形に形成されており、枝電極９２１を有している。
【００５８】
共通電極には、斜線方向に伸びていて、互いに上下対称をなしている第１及び第２上板開口部９７、９８と中間が折れた形態の第３上板開口部９９とが形成されている。第３開口部９９は第１及び第２開口部９７、９８と等距離で対向している。第１及び第２上板開口部９７、９８にはそれぞれ上下方向に伸びている枝開口部９７１、９８１が連結されており、第３上板開口部９９には両端部分からそれぞれ上下に伸びている二つの枝開口部９９１と中央の折れた部分から水平方向に突出している形態の枝開口部９９２が連結されている。この時、上下方向に伸びている枝開口部９７１、９８１、９９１は画素電極９４の辺にかかっている。
【００５９】
上下基板を整列した状態において、画素電極の開口部パターン９５１、９５２、９６と共通電極の開口部パターン９７、９８、９９、９７１、９８１、９９１、９９２とは、交互に配置される。独立配線９２は第３上板開口部９９と重なり、枝電極９２１も第３上板開口部９９と重なる。このようにすると、開口部パターンによって本来黒く示される部分に維持容量電極を形成して維持容量を形成するので、開口率の低下を最少化することができる。
【００６０】
【発明の効果】
上述したように、本発明によって液晶表示装置を製造すると、開口部パターン形成上の自由度を増加させ、上下基板の整列誤差の限界を拡大することができ、開口率を増加することもでき、明画素不良を修理することもできる。また、データ線電圧による光漏れも防止することができる。
【図面の簡単な説明】
【図１】本発明の第１実施例による液晶表示装置の下部基板の配置図である。
【図２】本発明の第１実施例による液晶表示装置の上部基板の共通電極に形成されている開口部パターンの配置図である。
【図３】本発明の第１実施例による液晶表示装置の上下部基板を整列した状態の配置図である。
【図４】本発明の第２実施例による液晶表示装置の上下部基板を整列した状態の配置図である。
【図５】本発明の第３実施例による液晶表示装置の上下部基板を整列した状態の配置図である。
【図６】本発明の第４実施例による液晶表示装置の上下部基板を整列した状態の配置図である。
【図７】本発明の第５実施例による液晶表示装置の上下部基板を整列した状態の配置図である。
【図８】本発明の第６実施例による液晶表示装置の上下部基板を整列した状態の配置図である。
【図９】本発明の第７実施例による液晶表示装置の上下部基板を整列した状態の配置図である。
【図１０】本発明の第８実施例による液晶表示装置の上下部基板を整列した状態の配置図である。
【図１１】本発明の第９実施例による液晶表示装置の上下部基板を整列した状態の配置図である。
【符号の説明】
１１                      ゲート線
１２、７２、９２          独立配線
１３                      データ線
１４                      画素電極
１５                      開口部パターン
１６                      十字型
７１、７６                ゲート線
７７                      連結線
８５                      第２開口部パターン
９４                      画素電極
９７、９８                第１及び第２上板開口部
９９                      第３上板開口部
１２１                    維持容量電極
１２２、１２３            遮断パターン
１２４                    菱形突出部
８４１                    第１開口部パターン
９２１                    枝電極
９５１、９５２、９６      下板開口部
９７１、９８１、９９１    枝開口部
【図１】
0004472811.tif 000002
【図２】
0004472811.tif 000003
【図３】
0004472811.tif 000004
【図４】
0004472811.tif 000005
【図５】
0004472811.tif 000006
【図６】
0004472811.tif 000007
【図７】
0004472811.tif 000008
【図８】
0004472811.tif 000009
【図９】
0004472811.tif 000010
【図１０】
0004472811.tif 000011
【図１１】
0004472811.tif 000012